(57)【要約】  締結具駆動工具で試用するケージと上プローブの組立体が、ベース部（４８）と、弁スリーブ（２２）に取付けるように形成された概ね垂直に延びる複数の腕部（５０）とを含むケージ（４６）と、前記ケージに直接取付けるように形成され、押し棒（３８）を受承するための少なくとも１つの突出部（５８）を有したプローブ（４２）とを具備し、前記プローブへの前記押し棒の衝撃が、前記ケージに直接伝達されるように、前記プローブが前記ケージに取付けられている。
2008511456.tif 000002
【特許請求の範囲】
【請求項１】
締結具駆動工具で試用するケージと上プローブの組立体において、
ベース部と、弁スリーブに取付けるように形成された概ね垂直に延びる複数の腕部とを含むケージと、
前記ケージに直接取付けるように形成され、押し棒を受承するための少なくとも１つの突出部を有したプローブを具備し、
前記プローブへの前記押し棒の衝撃が、前記ケージに直接伝達されるように、プローブが前記ケージに取付けられているケージと上プローブの組立体。
【請求項２】
前記プローブは、上から見て概ね円形を呈し、前記少なくとも１つの突出部が前記プローブの中心から半径方向に突出している請求項１に記載のプローブ組立体。
【請求項３】
前記突起部は、前記中心からの距離の増加に従い狭くなっている請求項２に記載のプローブ組立体。
【請求項４】
前記突出部は、上から見て概ね楔状に形成されている請求項２に記載のプローブ組立体。
【請求項５】
前記プローブは、駆動ブレードを収容するように形成された中心穴を有している請求項２に記載のプローブ組立体。
【請求項６】
前記ベース部は、前記中心穴に連通する貫通穴を有している請求項５に記載のプローブ組立体。
【請求項７】
前記プローブは、前記ベース部に対して軸方向に厚く形成されている請求項１に記載のプローブ組立体。
【請求項８】
前記プローブは、前記ベース部の厚さの約５倍の軸方向の厚さを有している請求項７に記載のプローブ組立体。
【請求項９】
前記ケージが、前記ベース部から突出した４つの腕部を有しており、該腕部の各々が、半径方向に延びる肩部と、弁スリーブを取付けるための先端穴とを有している請求項１に記載のプローブ組立体。
【請求項１０】
前記プローブは、前記突出部が先端部を有し、かつ、該先端部において前記押し棒と係合するように形成されている請求項１に記載のプローブ組立体。
【請求項１１】
前記プローブおよび前記ベース部は、前記プローブを前記ベース部に接合するために用いられるネジ締結具を受承するための対応の締結具穴を有している請求項１に記載のプローブ組立体。
【請求項１２】
燃焼動力式締結具駆動工具において、
駆動ブレードと、
前記駆動ブレードを摺動可能に受容するように形成されたノーズ部と、
前記ノーズ部に対して往復動作するワーク接触要素と、
前記ワーク接触要素と共に動作するように該ワーク接触要素に固定された押し棒と、
ベース部と、弁スリーブに取付けるように形成された概ね垂直に延びる複数の腕部とを含むケージと、
前記ケージに直接取付けるように形成され、押し棒を受承するための少なくとも１つの突出部を有したプローブとを具備し、
前記プローブへの前記押し棒の衝撃が、前記ケージに直接伝達されるように、プローブが前記ケージに取付けられている燃焼動力式締結具駆動工具。
【発明の詳細な説明】
【技術分野】
【０００１】
本発明は、一般的に締結具をワーク内へ打込むための締結具駆動工具に関し、特に、燃焼工具とも称される燃焼動力式締結具駆動工具に関する。
【背景技術】
【０００２】
燃焼動力式締結具駆動工具はこの技術分野では公知となっている。そうした工具の１つのタイプが、ニコリッシュ(Nikolich)に付与され本願と共通に譲渡された米国再発行特許第３２４５２号、米国特許第４５２２１６２号、米国特許第４４８３４７３号、米国特許第４４８３４７４号、米国特許第４４０３７２２号、米国特許第５１９７６４６号、米国特許第５２６３４３９号、米国特許第６１４５７２４号に記載されており、また、ワークに締結具を打込むために用いるインパルス(IMPULSE)の商標名の工具として知られている。上記文献の全ての開示を本願と一体をなすものとして参照する。同様の燃焼動力式釘打工具およびステープル打工具が、イリノイ州バーロンヒルズ(Verron Hills)所在のＩＴＷパスロード(Paslode)社からインパルス(IMPULSE)、ビルデックス(BUILDEX)およびパスロード(Paslode)の商標名で市販されている。
【０００３】
こうした工具は、小型の内燃エンジンを包囲する概ねピストル形の工具ハウジングを有している。該エンジンは、燃料セルとも称される加圧された燃料ガスのキャニスターを動力源とする。バッテリー式の電力分配ユニットによって点火用の火花が生成され、燃焼室に配設されたファンによって燃焼室内の燃焼を促進し、また、装置の燃焼に付随する工程を容易にする。こうした付随工程は、燃焼室内への燃料供給、燃焼室内での燃料と空気の混合、燃焼生成物の除去または排気を含む。前記エンジンは単一のシリンダ本体内に配設された往復動ピストンを含み、該ピストンは細長い剛性のブレードを備える。
【０００４】
燃焼エンジンは、シリンダ本体内に配設され細長く剛性の駆動ブレードを備えた往復動ピストンを含む。弁スリーブが、シリンダを中心として軸方向に往復動自在に設けられており、リンク機構を介して、該リンク機構の先端のワーク接触要素（ＷＣＥ）がワークに対して押圧されたときに、燃焼室を閉じるように動作する。この押圧動作によって、また、燃料計量弁が作動して、所定量の燃料が燃焼室内に導入される。
【０００５】
トリガースイッチが引かれると、火花が生成されて燃焼室内の燃料ガスが点火され、ピストンおよび駆動ブレードが下方に押し出されて、位置決めされている締結具に衝当して該締結具をワーク内に駆動する。次いで、ピストンは、ガスの差圧によって初期位置つまり点火前位置へ復帰する。締結具は、マガジン式にノーズ部に供給され、駆動ブレードによる衝当を受けるための適切な位置、配向で保持される。
【０００６】
【特許文献１】米国再発行特許第３２４５２号明細書
【特許文献２】米国特許第４５２２１６２号明細書
【特許文献３】米国特許第４４８３４７３号明細書
【特許文献４】米国特許第４４８３４７４号明細書
【特許文献５】米国特許第４４０３７２２号明細書
【特許文献６】米国特許第５１９７６４６号明細書
【特許文献７】米国特許第５２６３４３９号明細書
【特許文献８】米国特許第６１４５７２４号明細書
【発明の開示】
【発明が解決しようとする課題】
【０００７】
多くのタイプの燃焼工具において、ＷＣＥは、工具に固定されたノーズ部に対して該ＷＣＥと共に往復動作する押し棒を含んでいる。工具がワークに対して押圧されると、ＷＣＥが該工具のノーズ部に対して異動し、押し棒の上端がケージ組立体に衝当する。ケージ組立体は、最終的に弁スリーブに連結されている。繰返し試用する感にケージ組立体への衝撃損傷を低減するために、ゴム状のグロメットが押し棒の衝当点に配置されている。この構成の欠点には、工具の使用期間に比較して急速に損傷し、システムの空動き(lost motion)および遊びによって、グロメットの衝撃吸収機能が不十分となることが含まれる。
【０００８】
従って、従来技術の欠点を解決した燃焼動力式締結具駆動工具用のケージとプローブの組立体の必要性がある。
【課題を解決するための手段】
【０００９】
上記の必要性は、燃焼動力式締結具駆動工具と共に使用するように構成された、本発明のケージとプローブの組立体によって充足または突破される。このケージとプローブの組立体はプローブとケージとの間が直接的かつ積極的に連結されいる。こうして、ＷＣＥの押し号の動作は、より効果的に弁スリーブに伝達される。更に、プローブは剛性材料から形成されており、力が確実に直接的に伝達される。プローブとケージへの損傷を防止するために、本発明のプローブは、押し棒から繰返し受ける衝撃に耐えるように、軸方向に厚くした突出部を備えている。こうして、本発明のプローブとケージの組立体は、典型的な締結具駆動工具でなされるような長期間の作動用に構成されている。他の特徴は、前記突出部が、工具の作動中心軸線から十分にオフセットされており、押し棒が、駆動ブレードから離れて動作するようになっている点である。
【００１０】
より詳細には、締結具駆動工具で試用するケージと上プローブの組立体が、ベース部と、弁スリーブに取付けるように形成された概ね垂直に延びる複数の腕部とを含むケージと、前記ケージに直接取付けるように形成され、押し棒を受承するための少なくとも１つの突出部を有したプローブを具備し、前記プローブへの前記押し棒の衝撃が、前記ケージに直接伝達されるように、プローブが前記ケージに取付けられている。
【００１１】
他の形態では、燃焼動力式締結具駆動工具が、駆動ブレードと、前記駆動ブレードを摺動可能に受容するように形成されたノーズ部と、前記ノーズ部に対して往復動作するワーク接触要素と、前記ワーク接触要素と共に動作するように該ワーク接触要素に固定された押し棒とを具備する。ケージは、ベース部と、弁スリーブに取付けるように形成された概ね垂直に延びる複数の腕部とを含む。プローブは前記ケージに直接取付けるように形成されており、押し棒を受承するための少なくとも１つの突出部を有したプローブを有する。前記プローブへの前記押し棒の衝撃が、前記ケージに直接伝達されるように、プローブが前記ケージに取付けられている。
【発明を実施するための最良の形態】
【００１２】
図１を参照すると、燃焼動力式締結具駆動工具が全体的に参照番号１０にて指示されており、該燃焼動力式締結具駆動工具は、動力源１４を包囲する主ハウジング１２を含んでいる。この技術分野では周知となっているように、動力源１４はシリンダ１６を含み、該シリンダは、駆動ブレード２０が取付けられたピストンのための往復動通路を画成する。駆動ブレード２０は、締結具と係合し、該締結具ワーク内に打込むための先端２１を有している。弁スリーブ２２がシリンダ１６を囲繞すると共に、該シリンダ１６に対して軸方向に往復動する。弁スリーブの上方部分２４、ピストン１８およびシリンダヘッド２６が組合わさって、燃焼室２８が画成される。
【００１３】
ノーズ部３０が、動力源１４に固定されており、かつ、動力源の反対側のワーク側端部３２を有している。ワーク側端部３２は、締結具を打込むべきワークに対して最も近い位置に配置される。ワーク側端部３２には、ワーク接触要素３４が配置されており、該ワーク接触要素は、ノーズ部に対して摺動しながら往復動作し、かつ、バネ（図示せず）によって突出位置（図１参照）に付勢されている。この技術分野では周知となっているように、ワーク接触要素３４は、打込まれた締結具の進入深さを調節するための、ネジ式の深さ調節器３６を有している。押し棒３８が、駆動ブレード２０の作動軸線に概ね平行な方向に鉛直方向に深さ調節器３６に対して突出している。押し棒３８は、ワーク接触要素３４に接触しながら移動する。
【００１４】
図１、２を参照すると、押し棒３８の上端または先端４０は、全体的に参照番号４４にて指示するケージと上プローブの組立体の上プローブ４２に衝当する。組立体４４は、上プローブ４２およびケージ４６を含み、ケージ４６は、プレート状のベース部４８と、弁スリーブ２２に取付けるように形成された概ね垂直に延びる腕部５０とを含む。
【００１５】
該組立体４４の特徴は、上プローブ４２がケージ４６に直接取付けるように形成されている点である。こうした取付は、好ましい実施形態では、少なくとも１つの、好ましくは３つのファスナ孔５２によって達成される。該ファスナ孔は、上プローブ４２において、ケージのベース部４８の３つのファスナ孔５４に対して位置決めされており、少なくとも後者は好ましくは皿穴となっている。対応のネジ締結具５６によって、プローブ４２とケージ４６とが互いに固定される。溶接、化学的接着剤、他の形式の締結具を含めた他の締結技術を用いてもよい。締結技術のタイプとは無関係にプローブ４２は、押し棒３８の該プローブへの衝撃が直接ケージに伝達されるように、ケージ４６に取付けられる。
【００１６】
図２、３を参照すると、上プローブ４２は、上方から見て概ね円形を呈し、かつ、該プローブの中心から半径方向に突出した少なくとも１つの耳たぶ状の突出部５８を有している。突出部５８は、押し棒３８の上端４０を受承、係合するように形成、配置されている。好ましい実施形態では、製造コストを低減し工具１０内への装着を容易にするために、突出部５８は中心から離れるに従い狭く、つまり、上方から見て概ね楔型に形成されている（図３）。突出部５８の先端６２は、押し棒３８の上端４０に係合するように形成されている。突出部５８、特にその先端６２は、駆動ブレード２０の経路によって示される工具の作動軸線から十分にオフセットされており、押し棒３８が駆動ブレードから離れて動作するようになっている。
【００１７】
上プローブ４２は、駆動ブレード２０を受容するように形成された中心穴６４を有している（図１参照）。また、ベース部４８には貫通穴６６が形成されており、該貫通穴は、駆動ブレード２０を受容する中心穴６４に連通し、かつ、好ましくは該中心穴に位置決めされている。工具１０の長期間の使用中に押し棒３８から繰返し受ける衝撃に耐えるために、上プローブ４２は、ベース部の厚さ「Ｔ」の５倍のオーダで軸方向に十分に厚くなっている。一例として示す好ましい実施形態では、ベース部の厚さ「Ｔ」は約１．５ｍｍ(約0.060inch)であり、プローブの厚さ「ＰＴ」は約８．０ｍｍ(約0.313inch)となっている。用途に応じて他の相対的な寸法でもよい。また、突出部５８はプローブの厚さ「ＰＴ」よりも薄くてもよい。
【００１８】
図２を参照すると、ケージ４６は、ベース部４８から突き出た４つの腕部５０を有しており、該腕部の各々は、半径方向に延びる肩部６８と、先端部に配置され弁スリーブ２２を取付けるための先端穴７０とを有している。肩部６８は、腕部５０が、工具１０の内部の部品を回避できるように設けられている。この技術分野では周知となっているように、弁スリーブ２２が、図１に示す開放位置から、燃焼室２８が密閉される閉鎖位置へ往復動作可能とするのに十分な長さにて形成されている。
【００１９】
該ケージおよび上プローブ組立体４４が、従来技術の構成の欠点を解決することは理解されよう。押し棒３８からの動作は、プローブ４２を介してケージ４６に、そして最終的に弁スリーブ２２に直接的に伝達される。また、プローブの厚さＰＴは、工具１０の運用期間に受ける押し棒３８の動作による衝撃に耐えるのに十分となっている。
【００２０】
締結具駆動工具用の本発明のケージと上プローブの組立体を説明したが、特許請求の範囲に記載する本発明の特徴から逸脱することなく、種々の変更と修正が可能なことは当業者の当然とするところである。
【図面の簡単な説明】
【００２１】
【図１】本発明のケージと上プローブの組立体を備えた燃焼動力式締結具駆動工具の部分正面縦断面図である。
【図２】工具の一部と共に示す本発明のケージと上プローブの組立体の分解斜視図である。
【図３】本発明のプローブの上平面図である。
【符号の説明】
【００２２】
１０    燃焼動力式締結具駆動工具
１２    主ハウジング
１４    動力源
１６    シリンダ
１８    ピストン
２０    駆動ブレード
２２    弁スリーブ
２６    ヘッド
２８    燃焼室
３０    ノーズ部
３４    ワーク接触要素
３６    深さ調節器
３８    押し棒３８
４０    押し棒の上端
４２    上プローブ
４４    ケージと上プローブの組立体
４６    ケージ
４８    ベース部
５０    腕部
５８    突出部
６８    肩部
７０    先端穴
【図１】
2008511456.tif 000003
【図２】
2008511456.tif 000004
【図３】
2008511456.tif 000005
【国際調査報告】
2008511456.tif 000006
2008511456.tif 000007
2008511456.tif 000008